(57)【要約】【課題】従来に比して部品点数を削減するなど、従来の空調装置を備えたシートを更に改良すること。【解決手段】クッション材１を詰めて形成された着座面及び／又は背もたれ部と、前記クッション材１内においてエアコン風分配装置５に接続された送風ファン４とを備えて成り、前記エアコン風分配装置５が、その前記着座面の反対側（Ｂ側）及び前記着座面側（Ａ側）にそれぞれエアコン風分配構造部６及び複数の通風孔７を含んで構成されている空調装置を備えたシートにおいて、前記送風ファン４を前記クッション材１内において前記着座面の反対側（Ｂ側）に設けるとともに、エアコン風を、前記クッション材１における前記着座面の反対側（Ｂ側）に設けられた通風路８として形成した前記エアコン風分配構造部６及び前記通風孔７を介して前記着座面側（Ａ側）へ流出させる構成とした。
2009544513.tif 000002
【特許請求の範囲】
【請求項１】
クッション材（１）を詰めて形成された着座面（２２）及び／又は背もたれ部（２０）と、
前記クッション材（１）内においてエアコン風分配装置（５）に接続された送風ファン（４）と
を備えて成り、前記エアコン風分配装置（５）が、その前記着座面の反対側（Ｂ側）及び前記着座面側（Ａ側）にそれぞれエアコン風分配構造部（６）及び複数の通風孔（７）を含んで構成されている空調装置を備えたシートにおいて、
前記送風ファン（４）を前記クッション材（１）内において前記着座面の反対側（Ｂ側）に設けるとともに、エアコン風を、前記クッション材（１）における前記着座面の反対側（Ｂ側）に設けられた第１の通風路（８）として形成した前記エアコン風分配構造部（６）及び前記通風孔（７）を介して前記着座面側（Ａ側）へ流出させる構成としたことを特徴とする空調装置を備えたシート。
【請求項２】
前記送風ファン（４）を前記クッション材（１）内に固定したことを特徴とする請求項１記載の空調装置を備えたシート。
【請求項３】
前記着座面側（Ａ側）における前記クッション材（１）と当該シートの外部を覆うカバー（３）との間にエアコン風を通す部材を設けたことを特徴とする請求項１又は２記載の空調装置を備えたシート。
【請求項４】
前記着座面側の反対側（Ｂ側）における前記クッション材（１）と該クッション材を覆う層、特にフリース層との間にエアコン風を通す部材を設けたことを特徴とする請求項１又は２記載の空調装置を備えたシート。
【請求項５】
前記エアコン風を通す部材を、スペーサ層（９）、ファイバ又は網状発泡材としたことを特徴とする請求項３又は４記載の空調装置を備えたシート。
【請求項６】
前記クッション材（１）を、様々な発泡材層（１２）を含んで構成したことを特徴とする請求項１〜５のいずれか１項に記載の空調装置を備えたシート。
【請求項７】
前記送風ファン（４）を、該送風ファン（４）を固定する独立した前記発泡材層（１２）内に設けたことを特徴とする請求項６記載の空調装置を備えたシート。
【請求項８】
前記着座面の反対側（Ｂ側）における前記エアコン風分配構造部を補強するために、該エアコン風分配構造部に沿って硬質の発泡材を延設したことを特徴とする請求項６又は７記載の空調装置を備えたシート。
【請求項９】
前記クッション材に対して垂直に延在する前記通風孔（７）の一端を、該通風孔に対して垂直な前記着座面側（Ａ側）の第２の通風路（１３）に接続したことを特徴とする請求項１〜８のいずれか１項に記載の空調装置を備えたシート。
【請求項１０】
前記第２の通風路を含む領域を独立した発泡材カバー（１４）で形成するとともに、該発泡材カバーに、前記通風孔（７）に対応した開口部（１５）を形成したことを特徴とする請求項９記載の空調装置を備えたシート。
【請求項１１】
前記第２の通風路（１３）を、前記送風ファン（４）から前記着座面側（Ａ側）へ供給されるエアコン風が、前記着座面側（Ａ側）に沿った当該第２の通風路（１３）を流通し、フラッシングのために再び前記着座面の反対側（Ｂ側）へ戻るよう、前記通風孔（７）に接続したことを特徴とする請求項９又は１０記載の空調装置を備えたシート。
【請求項１２】
前記エアコン風分配装置（５）の内側を発泡材（１６）で補強したことを特徴とする請求項１〜１１のいずれか１項に記載の空調装置を備えたシート。
【請求項１３】
前記エアコン風分配装置（５）の内側を吹付け可能な硬質材料、特にゴム引き布又は接着剤（１７）で補強したことを特徴とする請求項１〜１２のいずれか１項に記載の空調装置を備えたシート。
【請求項１４】
少なくとも１つの前記通風孔（７）をキルト通風孔（２３）として形成するとともに、前記カバー（３）を固定するために、前記キルト通風孔を通してカバー延長部（２４）を前記クッション材（１）において延設させたことを特徴とする請求項１〜１３のいずれか１項に記載の空調装置を備えたシート。
【請求項１５】
前記カバー延長部（２５）を、前記キルト通風孔（２３）に沿って延設するとともに該キルト通風孔に垂直な前記第１の通風路（８）を通って延設し、前記カバー延長部（２５）における前記第１の通風路（８）に、エアコン風流が前記第１の通風路を流通することができるよう少なくとも１つの孔を穿設したことを特徴とする請求項１４記載の空調装置を備えたシート。
【請求項１６】
前記カバー延長部（２５）を格子状の布で形成したことを特徴とする請求項１５記載の空調装置を備えたシート。
【請求項１７】
前記エアコン風分配装置（５）を、循環流を形成するリング状の流通構造を含んだ構成としたことを特徴とする請求項１〜１６のいずれか１項に記載の空調装置を備えたシート。
【請求項１８】
前記エアコン風分配装置（５）を、星型形状に形成したことを特徴とする請求項１〜１７のいずれか１項に記載の空調装置を備えたシート。
【請求項１９】
前記エアコン風分配構造部（６）における前記第１の通風路（８）及び／又は前記第２の通風路（１３）を特殊な形状にして補強したことを特徴とする請求項１又は９記載の空調装置を備えたシート。
【請求項２０】
前記背もたれ部及び／又は前記着座部の前記クッション材（１）における前記着座面の反対側（Ｂ側）を、取付開口部（３０）を有するフリース材（２）によって覆うとともに、該開口部（３０）及び中空部（３１）で前記送風ファン（４）の設置箇所で重複部（３５）を形成し、前記送風ファン（４）を前記重複部（３５）において設置するための前記取付開口部（３０）の柔軟性を、切込み（２８）を有するフリース部分若しくは開口部（３２）又は特殊な形状を有するフリース部分（３３，３４）による前記重複部（３５）によって生じさせたことを特徴とする請求項１記載の空調装置を備えたシート。
【請求項２１】
前記クッション材（１）又は独立した前記発泡材層（１２）における前記送風ファン（４）を、少なくとも１つの該送風ファン（４）に設けられた弾性を有する支持部材（３６）又は弾性を有しない支持部材（３７）によって固定したことを特徴とする請求項２又は７記載の空調装置を備えたシート。
【請求項２２】
クッション材（１）を詰めて形成された着座面（２２）及び／又は背もたれ部（２０）と、
前記クッション材（１）内においてエアコン風分配装置（５）に接続された送風ファン（４）と
を備えて成り、前記エアコン風分配装置（５）が、その前記着座面の反対側（Ｂ側）及び前記着座面側（Ａ側）にそれぞれエアコン風分配構造部（６）及び複数の通風孔（７）を含んで構成されている空調装置を備えたシートにおいて、
前記送風ファン（４）によって吸引作用を生じさせることによってエアコン風を前記着座面側（Ａ側）から前記着座面の反対側（Ｂ側）へ流通させたことを特徴とする空調装置を備えたシート。
【請求項２３】
請求項２〜２１のうち少なくともいずれかの特徴を備える構成としたことを特徴とする請求項２２記載の空調装置を備えたシート。
【発明の詳細な説明】
【技術分野】
【０００１】
本発明は、請求項１の上位概念に記載した空調装置を備えたシートに関するものである。
【背景技術】
【０００２】
上記のような空調装置を備えたシートは、特許文献１に開示されている。このようなシートにおいては、着座面の下方において該着座面と離間した位置に送風ファン（例えばラジアル送風ファン）が配置されている。そして、エアコン風は、シートの下方で流通領域を通って、クッション材内のエアコン風分配装置へ供給される。なお、このエアコン風分配装置は、着座面の下側におけるエアコン風分配構造部、着座面の上側に通気孔及びエアコン風流出開口部を含んで構成されている。
【先行技術文献】
【特許文献】
【０００３】
【特許文献１】独国実用新案第２０２１９７３３号明細書
【発明の概要】
【発明が解決しようとする課題】
【０００４】
本発明の目的とするところは、上記のような空調装置を備えたシートを更に改良することにある。
【課題を解決するための手段】
【０００５】
上記目的は、請求項１記載の特徴又は請求項２２記載の特徴によって達成される。なお、好ましい実施形態は各従属請求項に記載されている。
【０００６】
本発明は、エアコン風分配装置及び送風ファンをクッション材（発泡材）内に設けることを基本としており、この送風ファン（ラジアルファン）は、これをクッション材に固定することで振動の影響を抑えつつ設置される。これにより、エアコン風の流通領域や外部のラジアル送風ファンとクッション材の間のガイドケーシングなどの従来必要な部材を削減することが可能である。
【０００７】
また、クッション材に設けられた送風ファンによれば、通風路あるいは通風孔として形成された発泡材内のエアコン風分配構造部に直接送風することが可能である。
【発明の効果】
【０００８】
本発明によれば、従来に比して部品点数を削減するなど、従来の空調装置を備えたシートを更に改良することが可能である。
【図面の簡単な説明】
【０００９】
【図１】着座部又は背もたれ部の断面を送風ファンと共に示す図である。
【図２】スペーサ層をＡ側に設けた場合の図１に基づく図である。
【図３】スペーサ層をＢ側に設けた場合の図１に基づく図である。
【図４】二重の発泡層を採用した場合の図１に基づく図である。
【図５】送風ファンの固定用発泡材を採用した場合の図１に基づく図である。
【図６】通風路をＡ側に設けた場合の図１に基づく図である。
【図７】開口部を有する発泡材カバーを採用した場合の図１に基づく図である。
【図８】通風路をＡ側に設けた場合にエアコン風をＢ側へ再び戻すように構成したときの図１に基づく図である。
【図９】エアコン風分配装置において補強用発泡材を採用した場合の図１に基づく図である。
【図１０】通風路内を吹付け可能な硬質材料で補強した場合の図１に基づく図である。
【図１１】循環する回路状に形成したエアコン風分配構造部を示す図である。
【図１２】発泡材内に統合された送風ファン及びエアコン風分配構造部を有する背もたれ部のＢ側を示す図である。
【図１３】着座部のＢ側に設けた星型形状のエアコン風分配構造部を示す図である。
【図１４】エアコン風ガイド通路として形成されたキルト通風路を採用した場合の図１に基づく図である。
【図１５】キルト通風路に孔を穿設した場合の図１４に基づく図である。
【図１６】通風路の第１の特殊形状を示す図である。
【図１７】通風路の第２の特殊形状を示す図である。
【図１８】「ボタン穴」による第１取付形態を示す断面図及び下面図である。
【図１９】「ボタン穴」による第２取付形態を示す下面図である。
【図２０】「ボタン穴」による第３取付形態を示す下面図である。
【図２１】「ボタン穴」による第４取付形態を示す下面図である。
【図２２】弾性を有する支持部材によって中空部に送風ファンを固定する第１の固定形態を示す平面図である。
【図２３】弾性を有する支持部材によって中空部に送風ファンを固定する第１の固定形態を示す側面図である。
【図２４】弾性を有さない支持部材によって中空部に送風ファンを固定する第２の固定形態を示す平面図である。
【図２５】弾性を有さない支持部材によって中空部に送風ファンを固定する第２の固定形態を示す側面図である。
【発明を実施するための形態】
【００１０】
以下に本発明の実施の形態を添付図面に基づいて説明する。
【００１１】
図１には、背もたれ部２０又は着座部２２の構造を断面で示したものが示されている。ここで、着座面の反対側（以下「Ｂ側」という。）の面はフリース材２が設けられている一方、着座面側（以下「Ａ側」という。）では、発泡材がカバー３によって覆われている。また、積極的な通風のために送風ファン４が設けられており、この送風ファン４は、振動の影響を抑制されつつ発泡材内におけるＢ側に設けられている。
【００１２】
着座面又は背もたれ部は更にエアコン風分配装置５を備えており、該エアコン風分配装置５は、ここではエアコン風分配構造部６及びこれに直角に配設された通風孔７を備えている。エアコン風分配構造部６は発泡材内に直接埋設された通風路８を備えており、該通風路８は、スペーサ層で形成されずにＢ側に沿って延設されている。したがって、エアコン風は、送風ファン４から発泡材へ導入され、更にクッション材（発泡材）１及びエアコン風分配構造部６の通風路８を通って分配され、Ａ側へと流出する（矢印参照）。
【００１３】
また、本発明によるシートは、基本的にスペーサ層を設けず、すなわち独立した通風層を設けずに構成されている。そして、通風孔７及び通風路８は、クッション材１内に統合されている。
【００１４】
一方、スペーサ層を設けることも可能であり、その場合には、背もたれ部又は着座部２２のＡ側及びＢ側にスペーサ層が設けられることが考えられる。図２には、Ａ側におけるクッション材１とカバー３の間にスペーサ層９又はファイバを設けたものが示されている。また、これに代えて、又はこれに加えて、スペーサ層９又はファイバをＢ側におけるエアコン風分配構造部６の通風路８内に設けてもよい（図３参照）。
【００１５】
ところで、Ｂ側における通風路８が着座による負荷に耐え、その機能が失われないよう、クッション材１が二層の発泡材１０で形成することも可能である（図４参照）。ここで、Ａ側は比較的柔らかい発泡材で形成されている一方、Ｂ側は比較的硬い発泡材で形成されており、通風路８の形状が維持されるようになっている。また、下側（Ｂ側）の比較的固い発泡材と上側（Ａ側）の比較的柔らかい発泡材の間の層境界部１１は、通風路８に沿って延在している。なお、この場合には、送風ファン４についても、負荷に耐え得るとともに、その形状が維持される。
【００１６】
図５に示すものにおいては、送風ファン４の上記のような形状維持又は固定を独立した発泡材領域又は発泡材層１２によって達成している。この発泡材層１２は、送風ファン４の近傍においてクッション材１に接触して設けられている（好ましくは接着されている。）。すなわち、送風ファン４は、この独立した発泡材層１２によって保護されている。
【００１７】
また、通風路８を有するエアコン風分配構造部６をＡ側近傍にも形成することが可能である（図６参照）。こうすることで、通風孔７に加えて、これに接続された他の通風路１３をＡ側に例えばフライス加工によって形成されることになる。これにより、エアコン風は、より大きな領域からＡ側へ流出することが可能である。
【００１８】
このようなＡ側における大きな流出領域又は通風路１３は、独立した発泡材カバー１４によっても形成することが可能である。この発泡材カバー１４は、通風路１３の開口部１５を備えて形成されているとともに、Ａ側における発泡材とカバー３の間に設けられている（図７参照）。ここで、通風路１３をＡ側において２つの通風孔７に連通するように形成すれば、エアコン風分配装置５のフラッシングを行うことが可能である。この場合、エアコン風は送風ファン４からＢ側の通風路８、第１の通風孔７及びＡ側の通風路１３を通ってＡ側へ至り、次に、Ｂ側へ直接開口した第２の通風孔７を通ってＢ側へ至る（図８）。
【００１９】
図９及び図１０には通風路８の形状を維持するための更なる実施形態が示されており、図９に示す実施形態によれば、通風路８の内面には比較的硬い材料の発泡材１６が形成されている。一方、図１０に示す実施形態によれば、通風路８の内側に吹付け可能な比較的硬い材料を吹き付けて、通風路８の負荷に対する補強を行っている。なお、この吹付け材料は、例えばゴム引き布を用いることができる。
【００２０】
図１６及び図１７は通風路８及び／又は通風路１３を変形に対して補強する他の手段が示されており、ここでは、通風路８及び／又は通風路１３が変形しないように、この通風路８及び／又は通風路１３を特殊な形状２６，２７に形成して負荷あるいは力の分散を図っている。図１６によれば、通風路８の壁面が、Ａ側（すなわち着座者側）へ凸に、かつ、弓状に形成された第１の特殊形状２６となっている。また、図１７によれば、通風路８の壁面が、ここでも、Ａ側（すなわち着座者側）へ凸に、かつ、放物線状に形成された第２の特殊形状２７となっている。
【００２１】
このような特殊形状２６，２７とすることで、通風路８及び／又は通風路１３に負荷が作用する場合でも、この通風路８及び／又は通風路１３の断面形状の変化を抑えることができ、意図したフロー条件を維持することが可能である。さらに、通風路８及び／又は通風路１３が高い強度を備えているため、この通風路８及び／又は通風路１３の圧壊あるいは損傷のおそれを低減することも可能である。
【００２２】
ところで、図１１に示すように、エアコン風分配構造部６によって吸引作用を生じさせるのが望ましい。このエアコン風分配構造部６は、全体が回路状に形成されており、流れを循環させることができるようになっている。エアコン風は、エアコン風分配構造部６の一側に設けられた送風ファンによってこのエアコン風分配構造部６内へ供給され、再び供給された箇所へ戻る。これにより吸引作用が生じることになる。また、エアコン風をＡ側へ流出するために、リング状のエアコン風分配構造部６に沿って、該エアコン風分配構造部６に対して垂直に複数の通風孔７が設けられている。
【００２３】
図１２には、エアコン風分配構造部６の他の形態が示されており（ここでは背もたれ部２０を示している。）、背もたれ部２０ごとに２つの送風ファン４及び２つのエアコン風分配構造部６が設けられている。エアコン風は、図中左側においては、背もたれ部２０のＢ側に沿った１つのメイン分配アーム１８及び２つの側方アーム１９と、これらに垂直に設けられた通風孔７を流通する。一方、図中右側は、基本的に２つの分配アーム２１で構成されている。
【００２４】
クッション材１のＢ側における上記のようなエアコン風分配構造部６あるいは通風路８によれば、着座者の快適性を向上させるために、体の各部位に応じてエアコン風の分配形態を適宜設定することが可能である。例えば、腰部についてはそれほど冷やさず、他の部位については点状に比較的強く冷やすようなことが可能である。なお、このような形態は図１３に示されている。この図１３において、クッション材１又は着座部２２のＢ側には、星型形状に延設された複数の通風路８が発泡材内に設けられている。また、２つの通風路８が着座者の脚部の範囲にも延設されている。
【００２５】
上述のように、Ｂ側からＡ側へ延びる通風孔７がエアコン風の流出のために使用されているが、このようなエアコン風の流出には、クッション材１内においてカバー３又はカバー延長部２４を固定するキルト通風路２３を用いることも可能である。なお、このような実施形態は、図１４に示されている。このような実施形態において、更にカバー延長部２５自体に、Ｂ側における通風路８に対して垂直になるように孔を穿設することも考えられる。こうすれば、キルト通風路２３の下側において通風路８を拡大することができ、エアコン風分配構造部６の形状についてのバリエーションを広げることが可能である（図１５参照）。
【００２６】
また、本発明においては、もう１つの送風ファン４を含んで構成しており、この送風ファン４は、発泡材に、あるいは発泡材内に固定されている。この場合、クッション材内に設けられたエアコン風分配構造部６及び通風孔７によって、着座者への冷却効果及び湿気除去効果を得ることが可能である。
【００２７】
図１８〜図２５には特に独立した発泡材層１２内での送風ファン４の取付形態が示されており、この発泡材層１２には、図５に示すように送風ファン４が取り付けられている。
【００２８】
まず、図１８における断面図（下側の図）及び下面図（上側の図）には、「ボタン穴」による取付形態が示されている。下側の断面図によれば、特に発泡材層１２として形成された中空部３１内に送風ファン４が取り付けられている。しかし、着座部２２又は背もたれ部２０の下側（Ｂ側）は既にフリース材２を備えているので、取付を行うために、図１８に示す実施形態においてはボタン穴状に切込み２８が設けられている。なお、この切込み２８は、ボタン穴すなわち取付開口部３０から送風ファン４の取付方向に対して直角に延設されている。ここで、切込み２８の長さは、フリース材２の柔軟性に依存する。
【００２９】
このような取付形態によれば、送風ファン４が重複部３５においてフリース材２によってカバーされ、送風ファン４の更なる支持がなされることになる。特に、発泡材層１２における中空部３１が送風ファン４の形状に合わせて形成されているので、送風ファン４の取付時には、この送風ファン４を単に「針に糸を通す」あるいは「ボタンで留める」ようにフリース材２を通過させればよい。
【００３０】
図１９には、図１８における上側の図に示す実施形態に類似した実施形態が示されている。ここでは、切込み２８の代わりに開口部３２が形成されている。この図１９における実施形態は、比較的柔軟性の低いフリース材２を使用する場合に適している。そして、ここでも、重複部３５が形成されている。
【００３１】
さらに、図２０及び図２１には切込み２８あるいは開口部３２が設けられておらず、フリース材２と送風ファン４の間の重複部３５は、取付開口部３０（「ボタン穴」）を円形ではなく、図２０においてはだ円形とし、図２１においては円と異なる形状とすることによって形成されている。このような図２０及び図２１に示す実施形態における重複部３５によれば、送風ファン４を上記のような手段に加えて中空部３１内のフリース２によっても支持することができ、その取付も容易に行うことが可能である。
【００３２】
また、送風ファン４をクッション材１あるいは発泡材層１２内で更に固定するための弾性を有する支持部材３６による固定形態が図２２及び図２３に示されている。ここで、図２２は送風ファン４の平面図であり、図２３は送風ファン４の側面図である。
【００３３】
送風ファン４の上述の「針に糸を通す」あるいは「ボタンで留める」ような取付形態による中空部３１への取付後、弾性を有する前記支持部材３６が送風ファン４を係止するようになっている。この前提として、発泡材層１２は、その寸法及び形状が送風ファン４に合わせられている。したがって、支持部材３６は、取付時に送風ファン４に対して押圧され、送風ファン４が所定の位置に配置されるとすぐにこの送風ファン４を弾性的に支持するものとなっている。
【００３４】
上記の固定形態に類似した他の固定形態が図２４及び図２５に示されており、ここでも、図２４には送風ファン４の平面図が示されており、図２５には送風ファン４の側面図が示されている。ここでは、弾性を有する支持部材３６ではなく、弾性を有さない支持部材３７が用いられており、この支持部材３７は、図２２〜図２５には図示していない発泡材層１２に係止爪のように作用する。また、図２５から明らかなように、複数の支持部材３７を設けることも可能である。なお、図２２及び図２３に示す弾性を有する支持部材についても複数設けるようにしてもよい。
【符号の説明】
【００３５】
１            クッション材
２            フリース材
３            カバー
４            送風ファン
５            エアコン風分配装置
６            エアコン風分配構造部
７            通風孔
８            通風路
９            スペーサ層
１０          二層の発泡材
１１          層境界部
１２          発泡材層
１３          通風路
１４          発泡材カバー
１５          開口部
１６          発泡材
１７          接着剤
１８          メイン分配アーム
１９          側方アーム
２０          背もたれ部
２１          分配アーム
２２          着座部
２３          キルト通風路
２４，２５    カバー延長部
２６，２７    通風路の特殊形状
２８          切込み
３０          取付開口部
３１          中空部
３２          開口部
３５          重複部
３６，３７    支持部材
【図１】
2009544513.tif 000003
【手続補正書】
【提出日】平成21年4月20日(2009.4.20)
【手続補正１】
【補正対象書類名】特許請求の範囲
【補正対象項目名】請求項４
【補正方法】変更
【補正の内容】
【請求項４】
前記着座面側の反対側（Ｂ側）における前記クッション材（１）と該クッション材を覆う層との間にエアコン風を通す部材を設けたことを特徴とする請求項１又は２記載の空調装置を備えたシート。
【手続補正２】
【補正対象書類名】特許請求の範囲
【補正対象項目名】請求項１３
【補正方法】変更
【補正の内容】
【請求項１３】
前記エアコン風分配装置（５）の内側を吹付け可能な硬質材料又は接着剤（１７）で補強したことを特徴とする請求項１〜１２のいずれか１項に記載の空調装置を備えたシート。
【手続補正３】
【補正対象書類名】特許請求の範囲
【補正対象項目名】請求項１４
【補正方法】変更
【補正の内容】
【請求項１４】
少なくとも１つの前記通風孔（７）をキルト通風孔（２３）として形成するとともに、前記カバー（３）を固定するために、前記キルト通風孔を通してカバー延長部（２４）を前記クッション材（１）において延設させたことを特徴とする請求項３〜１３のいずれか１項に記載の空調装置を備えたシート。
【手続補正書】
【提出日】平成21年4月22日(2009.4.22)
【手続補正１】
【補正対象書類名】特許請求の範囲
【補正対象項目名】請求項１３
【補正方法】変更
【補正の内容】
【請求項１３】
前記エアコン風分配装置（５）の内側を吹付け可能な硬質材料で補強したことを特徴とする請求項１〜１２のいずれか１項に記載の空調装置を備えたシート。
【国際調査報告】
2009544513.tif 000004
2009544513.tif 000005
2009544513.tif 000006
2009544513.tif 000007
2009544513.tif 000008
2009544513.tif 000009